(57)【要約】【課題】デバイスを適正に設定する。【解決手段】デバイス設定システム１００は、サーバー装置３と、サーバー装置３と通信可能に接続されたデバイス設定装置１とを備える。サーバー装置３は、会議を規定する第２会議情報ＣＦＪＢとデバイス２の設定情報ＤＳＪとを対応付けて記憶する設定記憶部３０１を有する。デバイス設定装置１は、受付部１０１と、抽出部１０２と、設定実行部１０３とを備える。受付部１０１は、前記第２会議情報ＣＦＪＢと相違する第１会議情報ＣＦＪＡを受け付ける。抽出部１０２は、サーバー装置３の設定記憶部３０１に記憶された設定情報ＤＳＪの中からから、第１会議情報ＣＦＪＡに対応する設定情報ＤＳＪを抽出する。設定実行部１０３は、設定情報ＤＳＪに基づいて、デバイス２の設定処理を実行する。【選択図】図３
2020098398.tif 000002
【特許請求の範囲】
【請求項１】
会議を規定する第１会議情報を受け付ける受付部と、
前記第１会議情報と相違する第２会議情報とデバイスの設定情報とを対応付けて記憶する設定記憶部と、
前記設定記憶部に記憶された前記設定情報の中から、前記第１会議情報に対応する前記設定情報を抽出する抽出部と、
前記設定情報に基づいて、前記デバイスの設定処理を実行する設定実行部と
を備える、デバイス設定装置。
【請求項２】
前記第１会議情報及び前記第２会議情報の各々は、会議が開催される会議室名を示す会議室名情報と、会議名を示す会議名情報とを含み、
前記抽出部は、前記設定記憶部に記憶された前記設定情報の中から、前記第１会議情報の前記会議室名情報及び前記会議名情報に対応する前記設定情報を抽出する、請求項１に記載のデバイス設定装置。
【請求項３】
前記第１会議情報及び前記第２会議情報の各々は、開始日時情報、及び終了日時情報の少なくとも一方を更に含み、
前記抽出部は、前記第１会議情報の前記開始日時情報、及び前記第１会議情報の前記終了日時情報の少なくとも一方に基づき、前記設定記憶部に記憶された前記設定情報の中から前記設定情報を抽出し、
前記開始日時情報は、前記会議が開始される日時である会議開始日時を示し、
前記終了日時情報は、前記会議が終了される日時である会議終了日時を示す、請求項２に記載のデバイス設定装置。
【請求項４】
前記第１会議情報及び前記第２会議情報の各々は、前記会議の出席者の氏名を示す出席者名情報を更に含み、
前記抽出部は、前記設定記憶部に記憶された前記設定情報の中から、前記第１会議情報の前記出席者名情報に対応する前記設定情報を抽出する、請求項２又は請求項３に記載のデバイス設定装置。
【請求項５】
前記第１会議情報及び前記第２会議情報の各々は、会議が開催される会議室名を示す会議室名情報と、前記デバイスの接続先を示す接続先情報とを含み、
前記抽出部は、前記設定記憶部に記憶された前記設定情報の中から、前記第１会議情報の前記会議室名情報、及び前記第１会議情報の前記接続先情報に対応する前記設定情報を抽出する、請求項１に記載のデバイス設定装置。
【請求項６】
前記第１会議情報及び前記第２会議情報の各々は、会議室名、会議名、主催者名、出席者名、前記出席者名に対応する出席者の所属部署名、会議開始日時、会議終了日時、及び前記デバイスの接続先の少なくとも１つを示す、請求項１に記載のデバイス設定装置。
【請求項７】
前記デバイスは、カメラ、マイク、スピーカ、ディスプレー、カードリーダ、及びネットワーク接続装置の少なくとも１つを含む、請求項１から請求項６のいずれか１項に記載のデバイス設定装置。
【請求項８】
会議を規定する第２会議情報とデバイスの設定情報とを対応付けて記憶する設定記憶部を備えるデバイス設定装置によって実行されるデバイス設定方法であって、
前記デバイス設定装置が、前記第２会議情報と相違する第１会議情報を受け付ける受付ステップと、
前記デバイス設定装置が、前記設定記憶部に記憶された前記設定情報の中から、前記第１会議情報に対応する前記設定情報を抽出する抽出ステップと、
前記デバイス設定装置が、前記設定情報に基づいて、前記デバイスの設定処理を実行する設定ステップと
を含む、デバイス設定方法。
【請求項９】
サーバー装置と、前記サーバー装置と通信可能に接続されたデバイス設定装置とを備え、
前記サーバー装置は、会議を規定する第２会議情報とデバイスの設定情報とを対応付けて記憶する設定記憶部を有し、
前記デバイス設定装置は、
前記第２会議情報と相違する第１会議情報を受け付ける受付部と、
前記サーバー装置の前記設定記憶部に記憶された前記設定情報の中から、前記第１会議情報に対応する前記設定情報を抽出する抽出部と、
前記設定情報に基づいて、前記デバイスの設定処理を実行する設定実行部と
を備える、デバイス設定システム。
【請求項１０】
コンピュータを備えるデバイス設定装置において、
前記コンピュータを、
会議を規定する第１会議情報を受け付ける受付部、
前記第１会議情報と相違する第２会議情報とデバイスの設定情報とを対応付けて記憶する設定記憶部、
前記設定記憶部に記憶された前記設定情報の中から、前記第１会議情報に対応する前記設定情報を抽出する抽出部、及び
前記設定情報に基づいて、前記デバイスの設定処理を実行する設定実行部
として機能させる、デバイス設定プログラム。
【発明の詳細な説明】
【技術分野】
【０００１】
本発明は、デバイス設定装置、デバイス設定方法、デバイス設定システム、及びデバイス設定プログラムに関する。
【背景技術】
【０００２】
会議室に配置されたデバイスを利用するための技術が知られている。デバイスは、例えばスピーカ、及びマイクを含む。
【０００３】
例えば、特許文献１に記載された会議環境管理装置は、会議環境情報蓄積部と、メッセージ送受信部と、制御部とを有する。会議環境情報蓄積部は、複数の会議室に備えられたデバイスに関する情報と、このデバイスが利用可能な状態にあるか否かを示す情報とを、会議室毎に記憶する。メッセージ送受信部は、会議に使用する会議室を選択するための選択条件を入力したメッセージを受け付ける。制御部は、会議環境情報蓄積部を参照して、選択条件に合致し、且つ利用可能な状態にあるデバイスを備える会議室を検出する。
【先行技術文献】
【特許文献】
【０００４】
【特許文献１】特開２００８−３１０５３３号公報
【発明の概要】
【発明が解決しようとする課題】
【０００５】
しかしながら、特許文献１に記載された会議環境管理装置では、会議室に配置されたデバイスの設定に手間取る可能性がある。例えば、会議を開始した時に、スピーカの音量が小さ過ぎる場合や、カメラの解像度設定が低過ぎる場合がある。
【０００６】
本発明は、上記課題に鑑みてなされたものであり、デバイスを適正に設定可能なデバイス設定装置、デバイス設定方法、デバイス設定システム、及びデバイス設定プログラムを提供することを目的としている。
【課題を解決するための手段】
【０００７】
本発明に係るデバイス設定装置は、受付部と、設定記憶部と、抽出部と、設定実行部とを備える。前記受付部は、会議を規定する第１会議情報を受け付ける。前記設定記憶部は、前記第１会議情報と相違する第２会議情報とデバイスの設定情報とを対応付けて記憶する。前記抽出部は、前記設定記憶部に記憶された前記設定情報の中から、前記第１会議情報に対応する前記設定情報を抽出する。前記設定実行部は、前記設定情報に基づいて、前記デバイスの設定処理を実行する。
【０００８】
本発明に係るデバイス設定方法は、会議を規定する第２会議情報とデバイスの設定情報とを対応付けて記憶する設定記憶部を備えるデバイス設定装置によって実行されるデバイス設定方法であって、受付ステップと、抽出ステップと、設定ステップとを含む。前記受付ステップにおいて、前記デバイス設定装置が、前記第２会議情報と相違する第１会議情報を受け付ける。前記抽出ステップにおいて、前記デバイス設定装置が、前記設定記憶部に記憶された前記設定情報の中から、前記第１会議情報に対応する前記設定情報を抽出する。前記設定ステップにおいて、前記デバイス設定装置が、前記設定情報に基づいて、前記デバイスの設定処理を実行する。
【０００９】
本発明に係るデバイス設定システムは、サーバー装置と、前記サーバー装置と通信可能に接続されたデバイス設定装置とを備える。前記サーバー装置は、会議を規定する第２会議情報とデバイスの設定情報とを対応付けて記憶する設定記憶部を有する。前記デバイス設定装置は、受付部と、抽出部と、設定実行部とを備える。前記受付部は、前記第２会議情報と相違する第１会議情報を受け付ける。前記抽出部は、前記サーバー装置の前記設定記憶部に記憶された前記設定情報の中から、前記第１会議情報に対応する前記設定情報を抽出する。前記設定実行部は、前記設定情報に基づいて、前記デバイスの設定処理を実行する。
【００１０】
本発明に係るデバイス設定プログラムは、コンピュータを備えるデバイス設定装置において、前記コンピュータを、受付部、設定記憶部、抽出部、及び設定実行部として機能させる。前記受付部は、会議を規定する第１会議情報を受け付ける。前記設定記憶部は、前記第１会議情報と相違する第２会議情報とデバイスの設定情報とを対応付けて記憶する。前記抽出部は、前記設定記憶部に記憶された前記設定情報の中から、前記第１会議情報に対応する前記設定情報を抽出する。前記設定実行部は、前記設定情報に基づいて、前記デバイスの設定処理を実行する。
【発明の効果】
【００１１】
本発明に係るデバイス設定装置、デバイス設定方法、デバイス設定システム、及びデバイス設定プログラムによれば、デバイスを適正に設定できる。
【図面の簡単な説明】
【００１２】
【図１】本発明の実施形態に係るデバイス設定システムの構成の一例を示す図である。
【図２】本発明の実施形態に係るデバイスの構成の一例を示す図である。
【図３】本発明の実施形態に係る第１制御部及び第２制御部の構成の一例を示す図である。
【図４】本発明の実施形態に係る設定情報の一例を示す図である。
【図５】本発明の実施形態に係る会議情報の一例を示す図である。
【図６】本発明の実施形態に係る第１制御部の処理の一例を示すフローチャートである。
【図７】設定完了画面の一例を示す画面図である。
【図８】アラーム画面の一例を示す画面図である。
【図９】本発明の実施形態に係る第１制御部の処理の一例を示すフローチャートである。
【発明を実施するための形態】
【００１３】
以下、本発明の実施形態について、図面（図１〜図９）を参照しながら説明する。なお、図中、同一又は相当部分については同一の参照符号を付して説明を繰り返さない。
【００１４】
まず、図１を参照して、本発明の実施形態に係るデバイス設定システム１００の構成について説明する。図１は、デバイス設定システム１００の構成の一例を示す図である。図１に示すように、デバイス設定システム１００は、デバイス設定装置１と、デバイス２と、サーバー装置３と、パーソナルコンピュータ４と、ネットワーク５とを備える。
【００１５】
デバイス設定装置１は、デバイス２の設定処理を実行する。デバイス設定装置１は、例えばパーソナルコンピュータを備える。デバイス設定装置１は、デバイス設定装置１Ａと、デバイス設定装置１Ｂとを含む。デバイス設定装置１Ａとデバイス設定装置１Ｂとは、略同一の構成を有する。
【００１６】
デバイス２は、会議に用いられるデバイスを示す。デバイス２は、デバイス２Ａと、デバイス２Ｂとを含む。デバイス２Ａは、デバイス設定装置１Ａと通信可能に接続され、デバイス設定装置１Ａによって設定される。デバイス２Ｂは、デバイス設定装置１Ｂと通信可能に接続され、デバイス設定装置１Ｂによって設定される。デバイス２Ａとデバイス２Ｂとは略同一の構成を有する。デバイス２については、後述にて図２を参照して詳細に説明する。
【００１７】
デバイス設定装置１Ａとデバイス２Ａとは、第１会議室Ｒ１に配置される。デバイス設定装置１Ｂとデバイス２Ｂとは、第２会議室Ｒ２に配置される。以下の説明において、第１会議室Ｒ１及び第２会議室Ｒ２の各々を会議室Ｒと記載する場合がある。
【００１８】
サーバー装置３は、会議情報ＣＦＪとデバイス２の設定情報ＤＳＪとを対応付けて記憶する。会議情報ＣＦＪについては、後述にて図５を参照して詳細に説明する。設定情報ＤＳＪについては、後述にて図４を参照して詳細に説明する。
【００１９】
パーソナルコンピュータ４は、第１会議室Ｒ１及び第２会議室Ｒ２の各々の配置される場所に対して遠隔地に配置される。パーソナルコンピュータ４は、遠隔地に居るユーザーによって操作される。また、パーソナルコンピュータ４を介して、遠隔地に居るユーザーは、第１会議室Ｒ１又は第２会議室Ｒ２で開催される会議に出席する。
【００２０】
ネットワーク５は、デバイス設定装置１とサーバー装置３とを通信可能に接続する。また、ネットワーク５は、デバイス設定装置１とパーソナルコンピュータ４とを通信可能に接続する。ネットワーク５は、例えばインターネットである。なお、本発明の実施形態では、ネットワーク５は、インターネットであるが、本発明はこれに限定されない。ネットワーク５は、デバイス設定装置１とサーバー装置３とを通信可能に接続し、デバイス設定装置１とパーソナルコンピュータ４とを通信可能に接続すればよい。ネットワーク５が、例えばＷＡＮ（Ｗｉｄｅ  Ａｒｅａ  Ｎｅｔｗｏｒｋ）でもよい。
【００２１】
次に、図１及び図２を参照して、デバイス２の構成について説明する。図２は、デバイス２の構成の一例を示す図である。図２に示すように、デバイス２は、カメラ２１、マイク２２、スピーカ２３、ディスプレー２４、カードリーダ２５及びパーソナルコンピュータ２６を含む。カメラ２１、マイク２２、スピーカ２３、ディスプレー２４、カードリーダ２５及びパーソナルコンピュータ２６の各々は、ＬＡＮ６を介してデバイス設定装置１と通信可能に接続される。
【００２２】
カメラ２１は、会議の出席者の動画像、及びディスプレー２４に表示される画面の動画像を撮影し、動画像情報ＭＪを生成する。動画像情報ＭＪは、カメラ２１からデバイス設定装置１に送信される。
【００２３】
マイク２２は、会議の出席者の音声を取得し、音声情報ＳＪを生成する。音声情報ＳＪは、マイク２２からデバイス設定装置１に送信される。
【００２４】
スピーカ２３は、会議の出席者の音声を出力する。例えば、会議の出席者に、遠隔地に居る出席者が含まれる場合には、スピーカ２３は、遠隔地に居る出席者の音声を出力する。具体的には、遠隔地に居る出席者は、パーソナルコンピュータ４を用いて、会議に参加する。
【００２５】
具体的には、パーソナルコンピュータ４と、デバイス設定装置１とが、図１に示すネットワーク５を介して接続される。パーソナルコンピュータ４は、マイク４１、スピーカ４２、ディスプレー４３及びカメラ４４を備える。パーソナルコンピュータ４のマイク４１に入力された音声は、スピーカ２３から出力される。また、マイク２２に入力された音声は、パーソナルコンピュータ４のスピーカ４２から出力される。また、カメラ２１によって生成された動画像情報ＭＪは、パーソナルコンピュータ４のディスプレー４３に表示される。パーソナルコンピュータ４のカメラ４４によって生成された動画像情報ＭＪは、ディスプレー２４に表示される。
【００２６】
ディスプレー２４は、種々の画像、及び種々の動画像を表示する。ディスプレー２４は、例えば、遠隔地に居る出席者の動画像を表示する。また、ディスプレー２４は、例えばパーソナルコンピュータ２６に記憶された画像を表示する。パーソナルコンピュータ２６に記憶された画像は、例えばスライド画像である。
【００２７】
カードリーダ２５は、カードに記録されたユーザー情報ＵＪを読み取る。カードは、例えばＩＣ（Ｉｎｔｅｇｒａｔｅｄ  Ｃｉｒｃｕｉｔ）カードであり、カードリーダ２５は、近距離通信でユーザー情報ＵＪを読み取る。近距離通信は、例えばブルートゥース（登録商標）である。ユーザー情報ＵＪは、会議の出席者名情報ＰＭＮＪと、会議の出席者の所属する所属部署名情報ＰＭＤＪとを含む。ユーザー情報ＵＪは、カードリーダ２５からデバイス設定装置１に送信される。
【００２８】
パーソナルコンピュータ２６は、例えば会議の出席者によって会議室Ｒに持ち込まれる。パーソナルコンピュータ２６は、ＬＡＮ６を介してデバイス２と通信可能に接続される。パーソナルコンピュータ２６は、例えばスライド画像を記憶する。パーソナルコンピュータ２６に記憶されたスライド画像は、ディスプレー２４に表示される。
【００２９】
ＬＡＮ６は、カメラ２１、マイク２２、スピーカ２３、ディスプレー２４、カードリーダ２５及びパーソナルコンピュータ２６の各々と、デバイス設定装置１と通信可能に接続する。また、ＬＡＮ６は、カメラ２１、マイク２２、スピーカ２３、ディスプレー２４及びカードリーダ２５の各々と、パーソナルコンピュータ２６と通信可能に接続する。ＬＡＮ６は、例えば無線ＬＡＮである。なお、本発明の実施形態では、ＬＡＮ６は、無線ＬＡＮであるが、本発明はこれに限定されない。ＬＡＮ６は、有線ＬＡＮでもよい。また、カメラ２１、マイク２２、スピーカ２３、ディスプレー２４、カードリーダ２５及びパーソナルコンピュータ２６の各々と、デバイス設定装置１とがケーブルで接続されてもよい。例えば、ディスプレー２４とデバイス設定装置１とは、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルで接続されてもよい。カメラ２１及びマイク２２の各々とデバイス設定装置１とは、ＵＳＢ（Ｕｎｉｖｅｒｓａｌ  Ｓｅｒｉａｌ  Ｂｕｓ）ケーブルで接続されてもよい。
【００３０】
次に、図１〜図３を参照して、本発明の実施形態に係る第１制御部１１及び第２制御部３１の構成について説明する。図３は、第１制御部１１及び第２制御部３１の構成の一例を示す図である。図３に示すように、デバイス設定装置１は、第１制御部１１と、キーボード１２と、ディスプレー１３と、通信部１４とを備える。サーバー装置３は、第２制御部３１を備える。
【００３１】
第１制御部１１は、デバイス設定装置１の動作を制御する。第１制御部１１は、ＣＰＵ（Ｃｅｎｔｒａｌ  Ｐｒｏｃｅｓｓｉｎｇ  Ｕｎｉｔ）のようなプロセッサ１１Ａと、記憶装置１１Ｂとを含む。記憶装置１１Ｂは、半導体メモリーを含む。記憶装置１１Ｂは、ＨＤＤ（Ｈａｒｄ  Ｄｉｓｋ  Ｄｒｉｖｅ）を備えてもよい。記憶装置１１Ｂは、第１制御プログラムを記憶する。第１制御プログラムは、「デバイス設定プログラム」の一例に相当する。
【００３２】
キーボード１２は、ユーザーからの操作を受け付ける。キーボード１２は、操作信号を第１制御部１１に伝送する。操作信号は、操作を示す。
【００３３】
ディスプレー１３は、例えば、ＬＣＤ（Ｌｉｑｕｉｄ  Ｃｒｙｓｔａｌ  Ｄｉｓｐｌａｙ）を備え、種々の画像を表示する。ディスプレー１３には、例えば、設定完了画面６００及びアラーム画面６１０を表示する。設定完了画面６００については、後述にて図７を参照して詳細に説明し、アラーム画面６１０については、後述にて図８を参照して詳細に説明する。
【００３４】
通信部１４は、デバイス２を接続先ＡＰのパーソナルコンピュータ４と通信可能に接続する。通信部１４は、「ネットワーク接続装置」の一例に相当する。
【００３５】
第２制御部３１は、サーバー装置３の動作を制御する。第２制御部３１は、ＣＰＵのようなプロセッサ３１Ａと、記憶装置３１Ｂとを含む。記憶装置３１Ｂは、半導体メモリーを含む。記憶装置３１Ｂは、ＨＤＤを備えてもよい。記憶装置３１Ｂは、第２制御プログラムを記憶する。
【００３６】
第２制御部３１の記憶装置３１Ｂは、設定記憶部３０１と、会議予定記憶部３０２とを備える。具体的には、第２制御部３１のプロセッサ３１Ａが第２制御プログラムを実行することによって、プロセッサ３１Ａが記憶装置３１Ｂを、設定記憶部３０１及び会議予定記憶部３０２として機能させる。
【００３７】
設定記憶部３０１は、第２会議情報ＣＦＪＢとデバイス２の設定情報ＤＳＪとを対応付けて記憶する。第２会議情報ＣＦＪＢは、終了した会議に関する会議情報ＣＦＪを示す。また、設定記憶部３０１は、デフォールトの設定情報ＤＳＪを記憶する。設定情報ＤＳＪについては、後述にて図４を参照して詳細に説明する。
【００３８】
会議予定記憶部３０２は、第１会議情報ＣＦＪＡを記憶する。第１会議情報ＣＦＪＡは、実施する予定の会議に関する会議情報ＣＦＪを示す。会議情報ＣＦＪは、会議を規定する情報を示す。会議情報ＣＦＪについては、後述にて図５を参照して詳細に説明する。以下の説明において、第１会議情報ＣＦＪＡ及び第２会議情報ＣＦＪＢの各々を会議情報ＣＦＪと記載する場合がある。会議情報ＣＦＪについては、後述にて図５を参照して詳細に説明する。
【００３９】
次に、第１制御部１１の構成について説明する。第１制御部１１は、受付部１０１と、抽出部１０２と、設定実行部１０３とを備える。具体的には、第１制御部１１のプロセッサ１１Ａが第１制御プログラムを実行することによって、受付部１０１、抽出部１０２及び設定実行部１０３として機能する。
【００４０】
受付部１０１は、第１会議情報ＣＦＪＡを受け付ける。受付部１０１は、例えば、会議名情報ＣＮＪを受け付ける。会議名情報ＣＮＪは、会議名ＣＮを示す。会議名情報ＣＮＪは、会議情報ＣＦＪに含まれる。受付部１０１は、会議名情報ＣＮＪに基づいて、第１会議情報ＣＦＪＡを会議予定記憶部３０２から取得する。
【００４１】
抽出部１０２は、設定記憶部３０１に記憶された設定情報ＤＳＪの中から、第１会議情報ＣＦＪＡに対応する設定情報ＤＳＪを抽出する。抽出部１０２の具体的な処理については、後述にて図６及び図９を参照して詳細に説明する。
【００４２】
設定実行部１０３は、設定情報ＤＳＪに基づいて、デバイス２の設定処理を実行する。
【００４３】
以上、図１〜図３を参照して説明したように、本発明の実施形態では、設定記憶部３０１は、第２会議情報ＣＦＪＢとデバイス２の設定情報ＤＳＪとを対応付けて記憶する。抽出部１０２は、設定記憶部３０１に記憶された設定情報ＤＳＪの中から、第１会議情報ＣＦＪＡに対応する設定情報ＤＳＪを抽出する。設定実行部１０３は、設定情報ＤＳＪに基づいて、デバイス２の設定処理を実行する。例えば、会議室名ＣＲＮ及び会議名ＣＮが第１会議情報ＣＦＪＡと一致する第２会議情報ＣＦＪＢを選択し、第２会議情報ＣＦＪＢに対応付けられた設定情報ＤＳＪに基づいて、デバイス２の設定処理を実行する。したがって、デバイス２を適正に設定できる。
【００４４】
なお、本発明の実施形態では、サーバー装置３の第２制御部３１が設定記憶部３０１を有するが、本発明はこれに限定されない。デバイス設定装置１の第１制御部１１が設定記憶部３０１を有してもよい。この場合には、設定情報ＤＳＪを短時間で抽出できる。
【００４５】
次に、図３及び図４を参照して、本発明の実施形態に係る設定情報ＤＳＪについて説明する。図４は、設定情報ＤＳＪの一例を示す図である。図４に示すように、設定情報ＤＳＪは、第１設定情報ＤＳＪ１、第２設定情報ＤＳＪ２、第３設定情報ＤＳＪ３、第４設定情報ＤＳＪ４、第５設定情報ＤＳＪ５、第６設定情報ＤＳＪ６及び第７設定情報ＤＳＪ７を含む。
【００４６】
第１設定情報ＤＳＪ１は、カメラ２１の設定情報を示す。設定実行部１０３は、第１設定情報ＤＳＪ１に基づいて、カメラ２１の設定処理を実行する。第１設定情報ＤＳＪ１は、デバイス有無情報、及び詳細情報を含む。詳細情報は、デバイス名情報、解像度情報、明るさ情報、コントラスト情報、色合い情報、鮮明度情報、ホワイトバランス情報、逆行補正値情報、ゲイン情報、ズーム情報、向き情報、及び接続方法情報を含む。
【００４７】
例えば、デバイス有無情報は、カメラ２１が会議室Ｒに配置されているか否かを示す。カメラ２１が会議室Ｒに配置されていない場合には、詳細情報には、情報が入力されない。デバイス名情報は、カメラ２１の機種を示す。向き情報は、カメラ２１の向きを示す。カメラ２１は、向きを調整可能に構成される。接続方法情報は、カメラ２１とデバイス設定装置１との接続方法を示す。
【００４８】
第２設定情報ＤＳＪ２は、マイク２２の設定情報を示す。設定実行部１０３は、第２設定情報ＤＳＪ２に基づいて、マイク２２の設定処理を実行する。第２設定情報ＤＳＪ２は、デバイス有無情報、デバイス名情報、ボリューム情報、ミュート情報、及び接続方法情報を含む。例えば、ミュート情報は、ミュートをオンにするかオフにするかを示す。ミュートをオンにする場合には、マイク２２には音声が入力されない。ミュートをオフにする場合には、マイク２２に音声が入力される。
【００４９】
第３設定情報ＤＳＪ３は、スピーカ２３の設定情報を示す。設定実行部１０３は、第３設定情報ＤＳＪ３に基づいて、スピーカ２３の設定処理を実行する。第３設定情報ＤＳＪ３は、デバイス有無情報、デバイス名情報、ボリューム情報、ミュート情報、及び接続方法情報を含む。例えば、ミュート情報は、ミュートをオンにするかオフにするかを示す。ミュートをオンにする場合には、スピーカ２３から音声が出力されない。ミュートをオフにする場合には、スピーカ２３から音声が出力される。
【００５０】
第４設定情報ＤＳＪ４は、通信部１４の設定情報を示す。設定実行部１０３は、第４設定情報ＤＳＪ４に基づいて、通信部１４の設定処理を実行する。第４設定情報ＤＳＪ４は、接続有無情報、有線無線情報、ＳＳＩＤ（Ｓｅｒｖｉｃｅ  Ｓｅｔ  Ｉｄｅｎｔｉｆｉｅｒ）情報、及びインターネットアクセス有無情報を含む。
【００５１】
例えば、接続有無情報は、通信部１４とパーソナルコンピュータ４とを接続するか否かを示す。通信部１４とパーソナルコンピュータ４とを接続しない場合には、有線無線情報、ＳＳＩＤ情報、及びインターネットアクセス有無情報には、情報が入力されない。有線無線情報は、通信部１４とパーソナルコンピュータ４とを有線で接続するか、無線で接続するかを示す。ＳＳＩＤ情報は、無線ＬＡＮのアクセスポイントを識別するための識別情報を示す。ＳＳＩＤ情報は、通信部１４とパーソナルコンピュータ４とを無線で接続する場合に通信部１４に設定される。インターネットアクセス有無情報は、通信部１４とパーソナルコンピュータ４とをネットワーク５を介して接続するか否かを示す。
【００５２】
第５設定情報ＤＳＪ５は、ディスプレー２４の設定情報を示す。設定実行部１０３は、第５設定情報ＤＳＪ５に基づいて、ディスプレー２４の設定処理を実行する。第５設定情報ＤＳＪ５は、デバイス有無情報、デバイス名情報、解像度情報、タッチセンサ有無情報、接続方法情報、及び入力端子情報を含む。例えば、タッチセンサ有無情報は、ディスプレー２４の表示面上にタッチセンサが配置されるか否かを示す。入力端子情報は、ディスプレー２４に表示する画像に対応する画像情報を入力するための端子を示す。
【００５３】
第６設定情報ＤＳＪ６は、カードリーダ２５の設定情報を示す。設定実行部１０３は、第６設定情報ＤＳＪ６に基づいて、カードリーダ２５の設定処理を実行する。第６設定情報ＤＳＪ６は、デバイス有無情報、デバイス名情報、及び接続方法情報を含む。
【００５４】
第７設定情報ＤＳＪ７は、無線共有デバイスの設定情報を示す。無線共有デバイスは、無線ＬＡＮ６を構成する。無線共有デバイスは、例えば、Ａｗｉｎｄ社製のｗｅＰｒｅｓｅｎｔ（製品名）又はＧｏｏｇｌｅ社製のＣｈｒｏｍｅＣａｓｔ（製品名）である。無線共有デバイスは、例えば、ディスプレー２４とＨＤＭＩケーブルで接続され、その他のデバイスとはＷｉ−Ｆｉで接続される。設定実行部１０３は、第７設定情報ＤＳＪ７に基づいて、無線共有デバイスの設定処理を実行する。第７設定情報ＤＳＪ７は、デバイス有無情報、デバイス名情報、ＳＳＩＤ情報、接続制限情報、及び接続デバイス名情報を含む。例えば、デバイス有無情報は、無線共有デバイスを使用するか否かを示す。また、例えば、接続デバイス名情報は、無線共有デバイスの名称を示す。ＳＳＩＤ情報は、無線共有デバイスのＳＳＩＤを示す。接続制限情報は、無線共有デバイスに接続可能なデバイスを示す。接続デバイス名情報は、無線共有デバイスに無線接続するデバイス名を示す。
【００５５】
以上、図３及び図４を参照して説明したように、本発明の実施形態では、デバイス２は、カメラ２１、マイク２２、スピーカ２３、ディスプレー２４、カードリーダ２５及びパーソナルコンピュータ２６を含む。したがって、設定実行部１０３は、カメラ２１、マイク２２、スピーカ２３、ディスプレー２４、カードリーダ２５及びパーソナルコンピュータ２６の各々の設定処理を実行できる。
【００５６】
なお、本発明の実施形態では、デバイス２は、カメラ２１、マイク２２、スピーカ２３、ディスプレー２４、カードリーダ２５及びパーソナルコンピュータ２６を含むが、本発明はこれに限定されない。デバイス２は、カメラ２１、マイク２２、スピーカ２３、ディスプレー２４及びカードリーダ２５の少なくとも１つを含めばよい。
【００５７】
また、本発明の実施形態では、デバイス設定装置１の通信部１４が、パーソナルコンピュータ４と通信可能に接続するが、本発明はこれに限定されない。デバイス２が、パーソナルコンピュータ４とネットワーク５を介して通信可能に構成されていればよい。例えば、デバイス２が、パーソナルコンピュータ４とネットワーク５を介して接続するネットワーク接続装置を有してもよい。
【００５８】
次に、図３〜図５を参照して、本発明の実施形態に係る会議情報ＣＦＪについて説明する。図５は、会議情報ＣＦＪの一例を示す図である。図５に示すように、会議情報ＣＦＪは、第１情報ＣＦＪ１、第２情報ＣＦＪ２、第３情報ＣＦＪ３、第４情報ＣＦＪ４、第５情報ＣＦＪ５、第６情報ＣＦＪ６、第７情報ＣＦＪ７、第８情報ＣＦＪ８、第９情報ＣＦＪ９及び第１０情報ＣＦＪ１０を含む。
【００５９】
第１情報ＣＦＪ１は、会議室名ＣＲＮを示す。例えば、第１会議室Ｒ１の会議室名ＣＲＮは、第１会議室である。第２会議室Ｒ２の会議室名ＣＲＮは、第２議室である。第１情報ＣＦＪ１は、「会議室名情報」の一例に相当する。
【００６０】
第２情報ＣＦＪ２は、会議名ＣＮを示す。会議名ＣＮは、例えば会議の開催目的に基づいて決定される。本発明の実施形態では、会議名ＣＮは、例えば「開発部定例会議」である。第２情報ＣＦＪ２は、「会議名情報」の一例に相当する。
【００６１】
第３情報ＣＦＪ３は、出席者名ＰＭＮを示す。例えば、出席者が５人である場合には、第３情報ＣＦＪ３は、５人の出席者の各々の氏名を示す。第３情報ＣＦＪ３は、「出席者名情報」の一例に相当する。
【００６２】
第４情報ＣＦＪ４は、所属部署名ＰＭＤを示す。例えば、出席者が５人である場合には、第４情報ＣＦＪ４は、５人の出席者の各々の所属部署名ＰＭＤを示す。
【００６３】
第５情報ＣＦＪ５は、主催者名を示す。主催者名は、会議を主催する（又は召集する）者の氏名を示す。
【００６４】
第６情報ＣＦＪ６は、デバイス２の遠隔接続の有無を示す。具体的には、第６情報ＣＦＪ６は、デバイス設定装置１の通信部１４をパーソナルコンピュータ４と接続するか否かを示す。
【００６５】
第７情報ＣＦＪ７は、デバイス２の接続先ＡＰを示す。接続先ＡＰは、パーソナルコンピュータ４を操作するユーザーの氏名でもよいし、パーソナルコンピュータ４の所在地でもよい。また、接続先ＡＰは、パーソナルコンピュータ４のＩＰアドレス（Ｉｎｔｅｒｎｅｔ  Ｐｒｏｔｏｃｏｌ  ａｄｄｒｅｓｓ）でもよい。第７情報ＣＦＪ７は、「接続先情報」の一例に相当する。
【００６６】
第８情報ＣＦＪ８は、会議の開始日時ＳＴを示す。会議情報ＣＦＪが第１会議情報ＣＦＪＡである場合には、第８情報ＣＦＪ８は、会議の開始予定日時を示す。第８情報ＣＦＪ８は、「開始日時情報」の一例に相当する。
【００６７】
第９情報ＣＦＪ９は、会議の終了日時ＥＴを示す。会議情報ＣＦＪが第１会議情報ＣＦＪＡである場合には、第９情報ＣＦＪ９は、会議の終了予定日時を示す。第９情報ＣＦＪ９は、「終了日時情報」の一例に相当する。
【００６８】
第１０情報ＣＦＪ１０は、会議資料を示す。具体的には、第１０情報ＣＦＪ１０は、会議資料の有無と会議資料名とを示す。
【００６９】
以上、図３〜図５を参照して説明したように、本発明の実施形態では、会議情報ＣＦＪが、会議室名ＣＲＮ、会議名ＣＮ、主催者名、出席者名ＰＭＮ、出席者名ＰＭＮに対応する出席者の所属部署名ＰＭＤ、遠隔接続の有無、デバイス２の接続先ＡＰ、開始日時ＳＴ及び終了日時ＥＴを示すが、本発明はこれに限定されない。会議情報ＣＦＪが、会議情報ＣＦＪが、会議室名ＣＲＮ、会議名ＣＮ、主催者名、出席者名ＰＭＮ、出席者名ＰＭＮに対応する出席者の所属部署名ＰＭＤ、遠隔接続の有無、デバイス２の接続先ＡＰ、開始日時ＳＴ及び終了日時ＥＴの少なくとも１つを示せばよい。会議情報ＣＦＪは、会議名ＣＮ、出席者名ＰＭＮ、及びデバイス２の接続先ＡＰを示すことが好ましい。
【００７０】
また、本発明の実施形態では、遠隔接続の接続先ＡＰが１箇所であるが、本発明はこれに限定されない。遠隔接続の接続先ＡＰが２箇所以上でもよい。例えば、遠隔接続の接続先ＡＰが２箇所でもよい。この場合には、第７情報ＣＦＪ７は、遠隔接続される２つの接続先ＡＰを示す。
【００７１】
次に、図３〜図６を参照して、本発明の実施形態に係るデバイス設定装置１の第１制御部１１の処理について説明する。図６は、第１制御部１１の処理の一例を示すフローチャートである。
図６に示すように、まず、ステップＳ１０１において、受付部１０１は、第１会議情報ＣＦＪＡを受け付ける。
次に、ステップＳ１０３において、抽出部１０２は、設定記憶部３０１に記憶された第２会議情報ＣＦＪＢの中から、会議室名ＣＲＮが第１会議情報ＣＦＪＡの会議室名ＣＲＮと同一である第２会議情報ＣＦＪＢを抽出する。
次に、ステップＳ１０５において、抽出部１０２は、第１会議情報ＣＦＪＡの会議名ＣＮと、第２会議情報ＣＦＪＢの会議名ＣＮとが一致するか否かを判定する。
会議名ＣＮが一致すると抽出部１０２が判定した場合（ステップＳ１０５でＹＥＳ）には、処理がステップＳ１０７に進む。
そして、ステップＳ１０７において、抽出部１０２は、第２会議情報ＣＦＪＢに対応付けられた設定情報ＤＳＪを抽出する。その後、処理がステップＳ１１５に進む。
【００７２】
会議名ＣＮが一致しないと抽出部１０２が判定した場合（ステップＳ１０５でＮＯ）には、処理がステップＳ１０９に進む。
そして、ステップＳ１０９において、抽出部１０２は、第１会議情報ＣＦＪＡの出席者名ＰＭＮと、第２会議情報ＣＦＪＢの出席者名ＰＭＮとが一致するか否かを判定する。具体的には、抽出部１０２は、第１会議情報ＣＦＪＡの出席者名ＰＭＮと第２会議情報ＣＦＪＢの出席者名ＰＭＮとが一致する人数が、出席者全員の人数の所定割合以上であるか否かを判定する。所定割合は、例えば７０％である。
出席者名ＰＭＮが一致すると抽出部１０２が判定した場合（ステップＳ１０９でＹＥＳ）には、処理がステップＳ１１１に進む。
そして、ステップＳ１１１において、抽出部１０２は、第２会議情報ＣＦＪＢに対応付けられた設定情報ＤＳＪを抽出する。その後、処理がステップＳ１１５に進む。
【００７３】
出席者名ＰＭＮが一致しないと抽出部１０２が判定した場合（ステップＳ１０９でＮＯ）には、処理がステップＳ１１３に進む。
そして、ステップＳ１１３において、抽出部１０２は、設定記憶部３０１から、デフォールトの設定情報ＤＳＪを読み出す。
次に、ステップＳ１１５において、設定実行部１０３は、設定情報ＤＳＪに基づいて、デバイス２の設定処理を実行する。
次に、ステップＳ１１７において、設定実行部１０３は、デバイス２の設定処理が成功したか否かを判定する。具体的には、設定実行部１０３は、設定情報ＤＳＪの通りにデバイス２の設定処理を実行できた場合に、設定実行部１０３は、設定処理が成功したと判定する。設定実行部１０３は、設定情報ＤＳＪの通りにデバイス２の設定処理を実行できなかった場合に、設定実行部１０３は、設定処理が成功しなかったと判定する。
【００７４】
設定処理が成功したと設定実行部１０３が判定した場合（ステップＳ１１７でＹＥＳ）には、処理がステップＳ１１９に進む。
そして、ステップＳ１１９において、設定実行部１０３は、ディスプレー１３に設定完了画面６００を表示する。その後、処理が終了する。設定完了画面６００は、設定処理が成功したことを示す。設定完了画面６００については、後述にて図７を参照して詳細に説明する。
設定処理が成功しなかったと設定実行部１０３が判定した場合（ステップＳ１１７でＮＯ）には、処理がステップＳ１２１に進む。
そして、ステップＳ１２１において、設定実行部１０３は、ディスプレー１３にアラーム画面６１０を表示する。その後、処理が終了する。アラーム画面６１０は、設定処理が成功しなかったことを示す。アラーム画面６１０については、後述にて図８を参照して詳細に説明する。
【００７５】
ステップＳ１０１は、「受付ステップ」の一例に相当する。ステップＳ１０３〜ステップＳ１１３は、「抽出ステップ」の一例に相当する。ステップＳ１１５は、「設定ステップ」の一例に相当する。
【００７６】
以上、図３〜図６を参照して説明したように、本発明の実施形態では、抽出部１０２は、設定記憶部３０１に記憶された設定情報ＤＳＪの中から、第１会議情報ＣＦＪＡの第１情報ＣＦＪ１（会議室名情報）及び第２情報ＣＦＪ２（会議名情報ＣＮＪ）に対応する設定情報ＤＳＪを抽出する。具体的には、例えば、第１会議情報ＣＦＪＡと会議室名ＣＲＮ及び会議名ＣＮが一致する第２会議情報ＣＦＪＢを抽出する。そして、第２会議情報ＣＦＪＢに対応付けられた設定情報ＤＳＪを抽出する。よって、デバイス２の適正な設定情報ＤＳＪを抽出できる。したがって、デバイス２を更に適正に設定できる。
【００７７】
また、抽出部１０２は、設定記憶部３０１に記憶された設定情報ＤＳＪの中から、第１会議情報ＣＦＪＡの第３情報ＣＦＪ３（出席者名情報）に対応する設定情報ＤＳＪを抽出する。例えば、会議室名ＣＲＮ及び出席者名ＰＭＮが第１会議情報ＣＦＪＡと一致する第２会議情報ＣＦＪＢを抽出する。そして、第２会議情報ＣＦＪＢに対応付けられた設定情報ＤＳＪを抽出する。よって、デバイス２の適正な設定情報ＤＳＪを抽出できる。したがって、デバイス２を更に適正に設定できる。
【００７８】
なお、本発明の実施形態では、抽出部１０２は、第１会議情報ＣＦＪＡの第３情報ＣＦＪ３（出席者名情報）に対応する設定情報ＤＳＪを抽出するが、本発明はこれに限定されない。抽出部１０２は、第１会議情報ＣＦＪＡに対応する設定情報ＤＳＪを抽出すればよい。
【００７９】
例えば、抽出部１０２が、第１会議情報ＣＦＪＡの第４情報ＣＦＪ４（所属部署名ＰＭＤ）に対応する設定情報ＤＳＪを抽出してもよい。この場合には、出席者が特定されておらず、各部署の代表者が出席するような会議の場合に、抽出部１０２は、適切な設定情報ＤＳＪを抽出できる。
【００８０】
また、例えば、抽出部１０２が、第１会議情報ＣＦＪＡの第８情報ＣＦＪ８（開始日時情報）及び第９情報ＣＦＪ９（終了日時情報）の少なくとも一方に基づき、設定情報ＤＳＪを抽出してもよい。
【００８１】
具体的には、第１会議情報ＣＦＪＡの開始日時ＳＴと終了日時ＥＴとに基づいて、設定情報ＤＳＪを抽出してもよい。例えば、第１会議情報ＣＦＪＡの開始日時ＳＴのＮ週間前（Ｎは、所定の自然数）の日時が、第２会議情報ＣＦＪＢの開始日時ＳＴと一致し、且つ第１会議情報ＣＦＪＡの終了日時ＥＴのＮ週間前の日時が、第２会議情報ＣＦＪＢの終了日時ＥＴと一致する場合に、抽出部１０２が、第２会議情報ＣＦＪＢに対応する設定情報ＤＳＪを抽出する。Ｎ週間は、例えば２週間である。
【００８２】
この場合には、定期的（例えば、２週間毎）に実施される会議において、デバイス２の適正な設定情報ＤＳＪを抽出できる。
【００８３】
次に、図３〜図７を参照して、設定完了画面６００について説明する。図７は、設定完了画面６００の一例を示す画面図である。設定完了画面６００は、図６のステップＳ１１９に示すように、設定実行部１０３によってディスプレー１３に表示される。図７に示すように、設定完了画面６００は、メッセージ表示部６０１、第１設定表示部６０２、第２設定表示部６０３、第３設定表示部６０４、第４設定表示部６０５及び第５設定表示部６０６を含む。
【００８４】
メッセージ表示部６０１には、デバイス２の設定処理が成功した旨のメッセージが表示される。例えば、メッセージ表示部６０１には、メッセージとして「デバイスの設定が完了しました」が表示される。
【００８５】
第１設定表示部６０２には、図４に示す第３設定情報ＤＳＪ３（スピーカ２３の設定情報）が表示される。第１設定表示部６０２には、例えばスピーカ２３のデバイス名情報が表示される。
【００８６】
第２設定表示部６０３には、図４に示す第２設定情報ＤＳＪ２（マイク２２の設定情報）が表示される。第２設定表示部６０３には、例えばマイク２２のデバイス名情報が表示される。
【００８７】
第３設定表示部６０４には、図４に示す第１設定情報ＤＳＪ１（カメラ２１の設定情報）が表示される。第３設定表示部６０４には、例えばカメラ２１のデバイス名情報が表示される。
【００８８】
第４設定表示部６０５には、図４に示す第５設定情報ＤＳＪ５（ディスプレー２４の設定情報）が表示される。第４設定表示部６０５には、例えばディスプレー２４のデバイス名情報が表示される。
【００８９】
第５設定表示部６０６には、図４に示す第６設定情報ＤＳＪ６（カードリーダ２５の設定情報）が表示される。第５設定表示部６０６には、例えばカードリーダ２５のデバイス名情報が表示される。
【００９０】
以上、図３〜図７を参照して説明したように、本発明の実施形態では、設定完了画面６００に、デバイス２の設定処理が成功した旨のメッセージが表示されるため、ユーザーは、設定処理が成功したことを確認できる。したがって、ユーザーの利便性を向上できる。
【００９１】
また、設定完了画面６００に、デバイス２の設定情報が表示されるため、ユーザーは、デバイス２の設定情報を確認できる。したがって、ユーザーの利便性を更に向上できる。
【００９２】
次に、図３〜図８を参照して、アラーム画面６１０について説明する。図８は、アラーム画面６１０の一例を示す画面図である。アラーム画面６１０は、図６のステップＳ１２１に示すように、設定実行部１０３によってディスプレー１３に表示される。図８に示すように、アラーム画面６１０には、メッセージ表示部６１１及び状況表示部６１２を含む。
【００９３】
メッセージ表示部６１１には、デバイス２の設定処理が失敗した旨のメッセージが表示される。例えば、メッセージ表示部６１１には、メッセージとして「デバイスの設定を確認してください」が表示される。
【００９４】
状況表示部６１２には、デバイス２の設定処理の状況を示すメッセージが表示される。例えば、状況表示部６１２には、メッセージとして「※注意  スピーカが見つかりませんでした。カメラの解像度設定が反映できませんでした。このまま会議を始めますか？」が表示される。
【００９５】
「スピーカが見つかりませんでした。」とは、例えば以下の状況を示す。すなわち、抽出部１０２が抽出した設定情報ＤＳＪでは、図４に示す第３設定情報ＤＳＪ３のデバイス有無情報が、スピーカ２３が会議室Ｒに配置されていることを示す。しかしながら、設定実行部１０３は、スピーカ２３を検出できなかった。
【００９６】
「カメラの解像度設定が反映できませんでした。」とは、例えば以下の状況を示す。すなわち、抽出部１０２が抽出した設定情報ＤＳＪでは、図４に示す第１設定情報ＤＳＪ１の解像度情報に沿って、設定実行部１０３が、カメラ２１の解像度の設定処理を実行できなかった。
【００９７】
「このまま会議を始めますか？」とは、スピーカ２３及びカメラ２１の設定が設定情報ＤＳＪの通りに設定されていないが、このままの状態で会議を始めるか否かをユーザーに判断させることを意味する。ユーザーは、このメッセージに対して、例えば以下のように対応する。このままの状態で会議を始める場合には、例えばキーボード１２のＥｎｔｅｒキーを押下して、アラーム画面６１０を非表示にする。一方、ユーザーが、例えばスピーカ２３及びカメラ２１をデフォールトの設定情報ＤＳＪに設定する場合には、その旨の操作を行う。
【００９８】
以上、図３〜図８を参照して説明したように、本発明の実施形態では、アラーム画面６１０に、デバイス２の設定処理が失敗した旨のメッセージが表示されるため、ユーザーは、設定処理が失敗したことを確認できる。したがって、ユーザーの利便性を更に向上できる。
【００９９】
また、アラーム画面６１０に、デバイス２の設定処理の状況を示すメッセージが表示されるため、ユーザーは、設定処理の状況を確認できる。したがって、ユーザーの利便性を更に向上できる。
【０１００】
次に、図３〜図９を参照して、本発明の実施形態に係るデバイス設定装置１の第１制御部１１の処理について説明する。図９は、第１制御部１１の処理の一例を示すフローチャートである。図９に示す第１制御部１１の処理は、抽出部１０２が接続先ＡＰに基づいて設定情報ＤＳＪを抽出する点で、図６に示す第１制御部１１の処理と相違する。
【０１０１】
図９に示すように、まず、ステップＳ２０１において、受付部１０１は、第１会議情報ＣＦＪＡを受け付ける。
次に、ステップＳ２０３において、抽出部１０２は、設定記憶部３０１に記憶された第２会議情報ＣＦＪＢの中から、会議室名ＣＲＮが第１会議情報ＣＦＪＡの会議室名ＣＲＮと同一である第２会議情報ＣＦＪＢを抽出する。
次に、ステップＳ２０５において、抽出部１０２は、第１会議情報ＣＦＪＡの接続先ＡＰと第２会議情報ＣＦＪＢの接続先ＡＰとが一致するか否かを判定する。
接続先ＡＰが一致すると抽出部１０２が判定した場合（ステップＳ２０５でＹＥＳ）には、処理がステップＳ２０７に進む。
そして、ステップＳ２０７において、抽出部１０２は、第２会議情報ＣＦＪＢに対応付けられた設定情報ＤＳＪを抽出する。その後、処理がステップＳ２１１に進む。
【０１０２】
接続先ＡＰが一致しないと抽出部１０２が判定した場合（ステップＳ２０５でＮＯ）には、処理がステップＳ２０９に進む。
そして、ステップＳ２０９において、抽出部１０２は、設定記憶部３０１から、デフォールトの設定情報ＤＳＪを読み出す。
次に、ステップＳ２１１において、設定実行部１０３は、設定情報ＤＳＪに基づいて、デバイス２の設定処理を実行する。
次に、ステップＳ２１３において、設定実行部１０３は、デバイス２の設定処理が成功したか否かを判定する。
設定処理が成功したと設定実行部１０３が判定した場合（ステップＳ２１３でＹＥＳ）には、処理がステップＳ２１５に進む。
そして、ステップＳ２１５において、設定実行部１０３は、図７に示す設定完了画面６００をディスプレー１３に表示する。その後、処理が終了する。
設定処理が成功しなかったと設定実行部１０３が判定した場合（ステップＳ２１３でＮＯ）には、処理がステップＳ２１７に進む。
そして、ステップＳ２１７において、設定実行部１０３は、図８に示すアラーム画面６１０をディスプレー１３に表示する。その後、処理が終了する。
【０１０３】
ステップＳ２０１は、「受付ステップ」の一例に相当する。ステップＳ２０３〜ステップＳ２０９は、「抽出ステップ」の一例に相当する。ステップＳ２１１は、「設定ステップ」の一例に相当する。
【０１０４】
以上、図３〜図９を参照して説明したように、本発明の実施形態では、抽出部１０２は、設定記憶部３０１に記憶された設定情報ＤＳＪの中から、第１会議情報ＣＦＪＡの第１情報ＣＦＪ１（会議室名情報）及び第７情報ＣＦＪ７（接続先情報）に対応する設定情報ＤＳＪを抽出する。例えば、会議室名ＣＲＮ及び接続先ＡＰが第１会議情報ＣＦＪＡと一致する第２会議情報ＣＦＪＢを抽出する。そして、第２会議情報ＣＦＪＢに対応付けられた設定情報ＤＳＪを抽出する。よって、デバイス２の適正な設定情報ＤＳＪを抽出できる。したがって、デバイス２を更に適正に設定できる。
【０１０５】
なお、本発明の実施形態では、抽出部１０２は、接続先ＡＰが一致する設定情報ＤＳＪを抽出するが、本発明はこれに限定されない。接続先ＡＰが２箇所以上である場合には、抽出部１０２は、２箇所以上の接続先ＡＰのうちの少なくとも１つの接続先ＡＰが一致する設定情報ＤＳＪを抽出してもよい。
【０１０６】
以上、図面を参照しながら本発明の実施形態について説明した。但し、本発明は、上記の実施形態に限られるものではなく、その要旨を逸脱しない範囲で種々の態様において実施することが可能である（例えば、下記（１）〜（２））。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１０７】
（１）図１を参照して説明したように、本発明の実施形態では、デバイス設定システム１００がサーバー装置３を備えるが、本発明はこれに限定されない。デバイス設定システム１００が、互いに通信可能に接続された複数のデバイス設定装置を備えればよい。例えば、デバイス設定システム１００がデバイス設定装置１Ａとデバイス設定装置１Ｂとを備え、デバイス設定装置１Ａが設定記憶部３０１を有してもよい。また、デバイス設定装置１Ａとデバイス設定装置１Ｂとの各々が設定記憶部３０１を有してもよい。
【０１０８】
（２）図１を参照して説明したように、本発明の実施形態では、デバイス設定装置１が、デバイス設定装置１Ａとデバイス設定装置１Ｂとを含むが、本発明はこれに限定されない。デバイス設定装置１が、複数のデバイス設定装置を含めばよい。例えば、デバイス設定装置１が、３台以上のデバイス設定装置を含んでもよい。
【産業上の利用可能性】
【０１０９】
本発明は、デバイス設定装置、デバイス設定方法、デバイス設定システム、及びデバイス設定プログラムを提供するものであり、産業上の利用可能性を有する。
【符号の説明】
【０１１０】
１００    デバイス設定システム
１、１Ａ、１Ｂ    デバイス設定装置
１１    第１制御部
１１Ａ    プロセッサ
１１Ｂ    記憶装置
１０１    受付部
１０２    抽出部
１０３    設定実行部
１２    キーボード
１３    ディスプレー
１４    通信部（ネットワーク接続装置）
２、２Ａ、２Ｂ    デバイス
２１    カメラ
２２    マイク
２３    スピーカ
２４    ディスプレー
２５    カードリーダ
２６    パーソナルコンピュータ
３    サーバー装置
３１    第２制御部
３１Ａ    プロセッサ
３１Ｂ    記憶装置
３０１    設定記憶部
３０２    会議予定記憶部
４    パーソナルコンピュータ
５    ネットワーク
６    ＬＡＮ
ＣＦＪ    会議情報
ＣＦＪＡ    第１会議情報
ＣＦＪＢ    第２会議情報
ＤＳＪ    設定情報
ＣＲＮ    会議室名
ＣＮ    会議名
ＰＭＮ    出席者名
ＡＰ    接続先
ＳＴ  開始日時
ＥＴ  終了日時
【図１】
2020098398.tif 000003
【図２】
2020098398.tif 000004
【図３】
2020098398.tif 000005
【図４】
2020098398.tif 000006
【図５】
2020098398.tif 000007
【図６】
2020098398.tif 000008
【図７】
2020098398.tif 000009
【図８】
2020098398.tif 000010
【図９】
2020098398.tif 000011